(57)【要約】【課題】装置側の明るさを調節できる身体支持システムを提供する。【解決手段】身体支持システム１は、使用者の身体を支持する装置３１と、装置３１に取付けられ、可視光線の透過率を調節できる第１部材１２を備える光線遮蔽器具１１と、を備える。【選択図】図１
2020099525.tif 000002
【特許請求の範囲】
【請求項１】
使用者の身体を支持する装置と、
前記装置に取付けられ、可視光線の透過率を調節できる第１部材を備える光線遮蔽器具と、
を備える身体支持システム。
【請求項２】
前記第１部材は、前記透過率を、第１の値と、前記第１の値よりも大きい第２の値との間で連続的に調節できる請求項１に記載の身体支持システム。
【請求項３】
前記装置に固定される第２部材を備え、
前記第１部材は、前記第２部材に対して相対的に移動できる請求項１又は２に記載の身体支持システム。
【請求項４】
前記第１部材は、前記使用者の頭部を覆う請求項１から３のいずれか一項に記載の身体支持システム。
【発明の詳細な説明】
【技術分野】
【０００１】
本発明は、身体支持システムに関する。
【背景技術】
【０００２】
従来、使用者の身体を支持する装置に、シェード（光線遮蔽器具）が取付けられた身体支持システムが知られている（例えば、特許文献１から５参照）。
【先行技術文献】
【特許文献】
【０００３】
【特許文献１】実開昭５９−１５９３７１号公報
【特許文献２】実開昭６０−０１３０５５号公報
【特許文献３】実開昭６１−１９１０３０号公報
【特許文献４】実開昭６２−１２０８５３号公報
【特許文献５】実開平０２−０３８９２２号公報
【発明の概要】
【発明が解決しようとする課題】
【０００４】
病院や介護施設等の、身体支持システムが複数設けられる多床室において、部屋の明るさは基本的に一律である。このため、身体支持システムを、身体支持システムを使用する使用者にとって最適な明るさに調節することは困難である。すなわち、シェードの装置側の明るさを調節することは困難である。
従来技術であるカバー等によるシェードを用いることで、光（可視光線）を遮断した真っ暗な環境を作ることはできるが、明るさの調節は困難である。
【０００５】
本発明は、このような問題点に鑑みてなされたものであって、装置側の明るさを調節できる身体支持システムを提供する。
【課題を解決するための手段】
【０００６】
本発明に係る身体支持システムは、使用者の身体を支持する装置と、前記装置に取付けられ、可視光線の透過率を調節できる第１部材を備える光線遮蔽器具と、を備える。
【図面の簡単な説明】
【０００７】
【図１】本発明の一実施形態のベッドシステムにおいて、ベッドの背ボトムを下げた状態を模式的に示す斜視図である。
【図２】本発明の一実施形態のベッドシステムにおいて、ベッドの背ボトムを下げた状態を模式的に示す縦断面図である。
【図３】本発明の一実施形態のベッドシステムのブロック図である。
【図４】本発明の一実施形態のベッドシステムにおいて、ベッドの背ボトムを上げて第１部材を遮光状態にした状態を模式的に示す縦断面図である。
【図５】本発明の一実施形態のベッドシステムにおいて、ベッドの背ボトムを上げて第１部材を中間状態にした状態を模式的に示す要部の断面図である。
【図６】本発明の一実施形態のベッドシステムの動作の第１の例を示すフローチャートである。
【図７】本発明の一実施形態のベッドシステムの動作の第２の例を示すフローチャートである。
【図８】本発明の実施形態の変形例のベッドシステムにおいて、ベッドの背ボトムを上げた状態を模式的に示す縦断面図である。
【図９】本発明の一実施形態のベッドシステムのフィルムの一例を示す斜視図である。
【図１０】本発明の一実施形態のベッドシステムのフィルムの他の例を示す斜視図である。
【発明を実施するための形態】
【０００８】
以下、本発明に係る身体支持システムの一実施形態を、身体支持システムがベッドシステムである場合を例にとって、図１から図１０を参照しながら説明する。
【０００９】
図１及び図２に示す本実施形態のベッドシステム１は、例えば床面上に設置されている。ベッドシステム１は、シェード（光線遮蔽器具）１１と、シェード１１が取付けられるベッド（装置）３１と、を備えている。
なお、図１及び図２を含む各図において、符号Ｘはベッド３１の長手方向に沿った第１方向を示す。符号Ｙはベッド３１の幅方向に沿った第２方向を示し、符号Ｚは上下方向に沿った第３方向を示す。第２方向Ｙは、第１方向Ｘに直交する方向である。第３方向Ｚは、第１方向Ｘ及び第２方向Ｙにそれぞれ直交する方向である。第１方向Ｘ及び第２方向Ｙは、水平面に沿う方向である。
【００１０】
ベッド３１の第１方向Ｘの長さは、ベッド３１の第２方向Ｙの長さよりも長い。第１方向Ｘは、ベッド３１上に横たわり、ベッド３１により支持される使用者の全身に沿う方向である。
ベッド３１の構成は、特に限定されない。図１から図３に示すように、本実施形態では、ベッド３１は、使用者の身体を支持するボトム３６と、ボトム３６を支持する架台（本体）４６と、架台４６を制御するベッド制御部５１と、を備えている。ベッド３１は、電力を動力源として動作する電動ベッドである。
なお、ベッドは手動のベッドでもよい。また、ベッドは背上げ及び膝上げができない平ベッドでもよい。
【００１１】
図１及び図２に示すように、ボトム３６は、背ボトム（Back section）３７と、腰ボトム（Seat section）３８と、脚ボトム（Leg section）３９と、を備えている。これら背ボトム３７、腰ボトム３８、及び脚ボトム３９は、第１方向Ｘに沿ってこの順で並んでいる。背ボトム３７は、使用者の身体の内の背を支える。腰ボトム３８は、使用者の腰を支える。脚ボトム３９は、使用者の脚を支える。
なお、図１及び図２では、後述する背上げ機構及び膝上げ機構により、背ボトム３７及び脚ボトム３９を下げた状態を示している。
【００１２】
脚ボトム３９は、膝ボトム（Upper leg section）４０と、足ボトム（Lower leg section）４１と、を備えている。これら膝ボトム４０及び足ボトム４１は、第１方向Ｘに沿ってこの順で並んでいる。膝ボトム４０は、足ボトム４１よりも腰ボトム３８の近くに配置されている。膝ボトム４０は、使用者の膝から腰を支える。足ボトム４１は、使用者の膝から足先を支える。
ボトム３６上には、マットレス４３が配置されている。マットレス４３上に、使用者が横たわる。
【００１３】
架台４６は、床面に設置されボトム３６を支持するフレーム４７と、背ボトム３７をフレーム４７に対して移動させる背上げ機構（不図示）と、膝ボトム４０をフレーム４７に対して移動させる膝上げ機構（不図示）と、を備えている。
ベッド制御部５１は、背上げ機構及び膝上げ機構を制御するコントロールボックスである。ベッド制御部５１は、ＡＣ（Alternating Current）１００Ｖ電源５２に接続される（図３参照）。
【００１４】
図１から図３に示すように、シェード１１は、第１部材１２と、第２部材１３と、検出部１４と、シェード制御部（制御部）１５と、計測部１６と、入力部１７と、を備えている。
第１部材１２は、可視光線の透過率（以下、単に透過率とも言う）を調節できれば、特に限定されない。ここでいう透過率とは、物体へ入射する可視光線の強度に対する、その物体を透過する可視光線の強度の比率のことを意味する。透過率が大きいほど、可視光線が物体を透過しやすくなる。
図１及び図９に示すように、本実施形態では、第１部材１２は、フィルム２４と、フィルム２４を支持する第３部材２５と、を備えている。なお、図１では、フィルム２４にハッチングを付して示す。
【００１５】
フィルム２４は、例えば配向粒子方式のフィルムである。図９に示すように、フィルム２４は、第１電極２４ａと、第１電極２４ａに対向するように配置された第２電極２４ｂと、第１電極２４ａと第２電極２４ｂとの間に配置された配向粒子２４ｃと、を備えている。なお、図９及び後述する図１０では、配向粒子２４ｃの個々の形状までは示していない。
第１電極２４ａ及び第２電極２４ｂは、所定の方向に長く形成されている。
第１電極２４ａの前記所定の方向の一方側の端部に、ケーブル２６が接続されている。第２電極２４ｂの前記所定の方向の他方側の端部に、ケーブル２７が接続されている。ケーブル２６，２７は、電極２４ａ，２４ｂにおける互いに反対側となる端部にそれぞれ接続されている。ケーブル２６，２７は、シェード制御部１５の後述する変圧器２１に接続されている（図３参照）。
なお、図１０に示すフィルム２４Ａのように、ケーブル２７が第２電極２４ｂの前記所定の方向の一方側の端部に接続され、ケーブル２６，２７は、電極２４ａ，２４ｂにおける同じ側となる端部にそれぞれ接続されていてもよい。このように、電極２４ａ，２４ｂにケーブル２６，２７が接続される位置は、ケーブル２６が第１電極２４ａに接続され、ケーブル２７が第２電極２４ｂに接続されてれば、任意に設定できる。
【００１６】
フィルム２４は、電極２４ａ，２４ｂ間に交流電圧（交流電流）が印加されるか否かにより、配向粒子２４ｃの配向の向きが変化して可視光線の透過率を調節できる。フィルム２４は、可視光線の透過率を第１の値と、第１の値よりも大きい第２の値と、に調節できる。本実施形態のフィルム２４は、さらに可視光線の透過率を、第１の値と第２の値との間で連続的に調節できる。ここで、第１の値はフィルム２４の透過率の下限値であり、第２の値はフィルム２４の透過率の上限値である。
第３部材２５は、アクリル等の無色透明な板材等により、図１に示すようにＵ字状に形成されている。フィルム２４は、第３部材２５の表面に固定されている。
この例では、第１部材１２は使用者の上半身を覆う程度の大きさである。なお、第１部材１２は使用者の全身を覆う程度の大きさでもよい。
図１及び図２に示す第１部材１２は、透過率が大きい第２の値になっていて、可視光線を充分に透過する透光状態Ｐ１である。
【００１７】
なお、フィルムとして、液晶分子を用いた液晶方式のフィルム、酸化・還元反応を利用したエレクトロクロミック方式のフィルム等を用いてもよい。
【００１８】
第２部材１３は、Ｕ字状に形成されている。第２部材１３は、図示はしないが、樹脂等の比較的剛性の高い材料で形成された本体と、ウレタン等の柔軟な材料で形成されたクッションと、を備えている。クッションは、本体の外面を覆っている。
第２部材１３は、第１部材１２の内側に配置されている。第１部材１２は、図示しない軸受け等により、第２部材１３に対して相対的に回転移動できるように第２部材１３に支持されている。そして、例えば、第２部材１３と第１部材１２との間に作用する摩擦力により、第２部材１３に対する第１部材１２の位置が保持される。
なお、第２部材１３に対して第１部材１２がワイヤ等により手動で動くようにしてもよいし、モータ等により電動で動くようにしてもよい。第１部材１２は、第２部材１３に対して相対的に平行移動できるように支持されていてもよい。
【００１９】
第２部材１３は、ベッド３１の背ボトム３７の側面を囲った状態で背ボトム３７に固定され（取付けられ）ている。第２部材１３は、背ボトム３７における腰ボトム３８とは反対側の端部を囲っている。
第２部材１３は、背ボトム３７から上方に突出している。第２部材１３には、シェード制御部１５が内蔵され、第２部材１３の外面には入力部１７が取付けられている。
図１及び図２では、第１部材１２は、回転移動できる範囲で、背ボトム３７に最も近い位置に配置されている。
【００２０】
検出部１４は、例えば眠りＳＣＡＮ（登録商標）である。検出部１４は、公知の方法により、ベッド３１上の使用者が眠っている睡眠状態か、使用者が目を覚ましている覚醒状態かを検出する。例えば、検出部１４は、背ボトム３７とマットレス４３との間に配置されている。検出部１４は、検出結果を定期的にシェード制御部１５の後述する制御装置２２に送る。
シェード制御部１５は、図３に示すＤＣ／ＡＣインバータ２０と、変圧器２１と、制御装置２２と、を備えている。
ＤＣ／ＡＣインバータ２０は、ベッド３１のベッド制御部５１から供給される直流電流を交流電流に変換する。
変圧器２１は、可変抵抗器等を備えている。変圧器２１は、ＤＣ／ＡＣインバータ２０から供給される交流電流の電圧を変化させる。変圧器２１は、電圧を変化させた交流電流をケーブル２６，２７を介して第１部材１２のフィルム２４に供給する。
【００２１】
計測部１６は、例えばタイマーである。計測部１６は、現在の時刻を測定する。計測部１６は、測定結果を定期的に制御装置２２に送る。
例えば、入力部１７はボタン１７ａ，１７ｂを備えている（図１参照）。入力部１７は、制御装置２２に電気配線等により接続されている。ボタン１７ａ，１７ｂが操作されると、電気配線を介して制御装置２２に指示が送られる。
【００２２】
制御装置２２は、ベッド３１のベッド制御部５１から直流電流を供給される。制御装置２２は、検出部１４の検出結果、入力部１７から送られた指示、計測部１６の測定結果に基づいて、変圧器２１を制御する。制御装置２２は、変圧器２１を制御することにより、第１部材１２の透過率を制御する。
なお、シェード制御部１５は、ＡＣ１００Ｖ電源５２に直接接続されてもよい。その場合は、変圧器２１にはＡＣ１００Ｖ電源５２が直接接続され、制御装置２２にはＡＣ１００Ｖ電源５２がＡＣ／ＤＣインバータを介して接続される。
使用者がボタン１７ａを操作すると、ボタン１７ａから制御装置２２に指示が送られ、制御装置２２は、変圧器２１を駆動して第１部材１２の透過率を大きくする。一方で、使用者がボタン１７ｂを操作すると、ボタン１７ｂから制御装置２２に指示が送られ、制御装置２２は、変圧器２１を駆動して第１部材１２の透過率を小さくする。
【００２３】
なお、入力部１７は、制御装置２２と無線通信により接続されてもよい。無線通信には、赤外線等が用いられる。無線通信の規格としては、Ｂｌｕｅｔｏｏｔｈ（登録商標）、Ｗｉ−Ｆｉ（登録商標）等が用いられる。
【００２４】
以上のように構成されたベッドシステム１において、背上げ機構を駆動すると、図４に示すように背ボトム３７が上がる。シェード１１は、背ボトム３７に追従して上がる。さらに、シェード１１では、第２部材１３に対して第１部材１２を背ボトム３７から離間するように回転できる。このとき、第１部材１２は使用者Ｐの頭部（目）を覆う。
図４に示す第１部材１２は、透過率が小さい第１の値になっていて、透光状態Ｐ１に比べて可視光線を透過し難い遮光状態Ｐ２である。
なお、図５に示すように、第１部材１２は、透光状態Ｐ１の透過率と遮光状態Ｐ２の透過率との間の透過率である中間状態Ｐ３にすることができる。
【００２５】
次に、以上のように構成されたベッドシステム１の動作について説明する。
ベッドシステム１の動作の第１の例として、検出部１４を用いて第１部材１２の透過率を制御する場合について説明する。図６は、ベッドシステム１の動作の第１の例を示すフローチャートである。
まず、ステップＳ１１において、使用者Ｐをベッド３１上に寝かせる。このとき、使用者Ｐは覚醒状態であり、第１部材１２の透過率は第１の値以外の任意の値である。ステップＳ１１が終了すると、ステップＳ１３に移行する。
【００２６】
次に、ステップＳ１３において、検出部１４による使用者Ｐの状態の検出を行い、ステップＳ１５に移行する。
次に、ステップＳ１５において、制御装置２２は、使用者Ｐが覚醒状態から睡眠状態になったか否かを判断する。このとき、使用者Ｐは覚醒状態であるため、ステップＳ１５でＮｏと判断され、ステップＳ１３に移行する。
ステップＳ１３及びステップＳ１５を組にして繰り返すうちに、使用者Ｐが覚醒状態から睡眠状態になったとする。このとき、ステップＳ１５でＹｅｓと判断され、ステップＳ１７に移行する。
【００２７】
次に、ステップＳ１７において、制御装置２２は、第１部材１２の透過率を第１の値まで小さくする。そして、第１部材１２の透過率を第１の値で維持する。第１部材１２の透過率を小さくすると、第１部材１２が曇っていき、可視光線が第１部材１２を通して使用者Ｐに当たり難くなる。これにより、ベッド３１により支持されて睡眠状態になった使用者Ｐが、眠った状態を続けやすくなる。
なお、ステップＳ１７において、制御装置２２は第１部材１２の透過率を第１の値まで小さくしなくてもよい。
【００２８】
次に、ベッドシステム１の動作の第２の例として、計測部１６を用いて第１部材１２の透過率を制御する場合について説明する。図７は、ベッドシステム１の動作の第２の例を示すフローチャートである。使用者Ｐは、所望の時刻を予め定め、制御装置２２に記憶させておく。この記憶させた時刻は、使用者Ｐが起きたい時刻でもよいし、使用者Ｐが起きたい時刻よりも所定の時間だけ前の時刻であってもよい。
まず、ステップＳ１１において、使用者Ｐをベッド３１上に寝かせる。このとき、使用者Ｐは睡眠状態であり、第１部材１２の透過率は第１の値であるとする。
【００２９】
次に、ステップＳ２１において、計測部１６による現在の時刻の測定を行い、ステップＳ２３に移行する。
次に、ステップＳ２３において、制御装置２２は、計測部１６の測定結果が記憶された時刻になったか否かを判断する。このとき、計測部１６の測定結果は記憶された時刻になっていないとすると、ステップＳ２３でＮｏと判断され、ステップＳ２１に移行する。
ステップＳ２１及びステップＳ２３を組にして繰り返すうちに、計測部１６の測定結果が記憶された時刻になったとする。このとき、ステップＳ２３でＹｅｓと判断され、ステップＳ２５に移行する。
【００３０】
次に、ステップＳ２５において、制御装置２２は、第１部材１２の透過率を第２の値まで大きくする。そして、第１部材１２の透過率を第２の値で維持する。第１部材１２の透過率を大きくすると、第１部材１２が透明になっていき、可視光線が第１部材１２を通して使用者Ｐに当たりやすくなる。これにより、ベッド３１により支持されて睡眠状態である使用者Ｐが、目を覚ましやすくなる。
なお、ステップＳ２５において、制御装置２２は第１部材１２の透過率を第２の値まで大きくしなくてもよい。
【００３１】
また、計測部１６による測定と検出部１４による検出とを組み合わせて、第１部材１２の透過率を制御してもよい。
例えば、制御装置２２に記憶された時刻の０からｘ分（所定の時間）前の時点であることを、計測部１６により測定する。その時点において、検出部１４により使用者Ｐが覚醒状態に近いことを検出したときに、第１部材１２の透過率を第２の値まで大きくしてもよい。
ベッドシステム１をこのように動作させることにより、記憶された時刻の前であっても、使用者Ｐの睡眠の状態に応じて、使用者Ｐが目を覚ましやすくすることができる。
【００３２】
なお、使用者Ｐ等が入力部１７のボタン１７ａ，１７ｂを操作することにより、第１部材１２の透過率を手動で調節してもよい。
【００３３】
以上説明したように、本実施形態のベッドシステム１によれば、第１部材１２の透過率を調節して大きくすると、第１部材１２を可視光線が透過しやすくなり、第１部材１２のベッド３１側の部分が明るくなる。一方で、第１部材１２の透過率を調節して小さくすると、第１部材１２を可視光線が透過し難くなり、第１部材１２のベッド３１側の部分が暗くなる。従って、シェード１１のベッド３１側の明るさを調節することができる。
第１部材１２の透過率を、使用者Ｐの好みの値に調節することができる。
特許文献１から５に開示された従来の身体支持システムでは、シェード内を完全に遮光してしまうと、使用者によっては閉塞感を感じる場合もある。これに対して、本実施形態のベッドシステム１では、第１部材１２の透過率が調節できることにより、使用者Ｐがシェード１１内で閉塞感を感じ難くなる。さらに、シェード１１内で、タブレットの操作や読書、モニターの鑑賞等の作業のための明るさを調節することができる。
【００３４】
第１部材１２は、透過率を、第１の値と第２の値との間で連続的に調節できる。これにより、シェード１１のベッド３１側の明るさを連続的に調節することができる。
シェード１１が第２部材１３を備え、第１部材１２は、第２部材１３に対して相対的に回転移動できる。ベッド３１に第２部材１３を固定した状態で、第２部材１３に対して第１部材１２を移動させることにより、ベッド３１に対する第１部材１２の位置を安定させることができる。
第１部材１２が使用者Ｐの頭部を覆う。このため、シェード１１の外部からの可視光線が使用者Ｐの頭部の目に入射するのを抑制することができる。
【００３５】
ベッドシステム１が、検出部１４及びシェード制御部１５を備えている。検出部１４の検出結果が覚醒状態から睡眠状態になったときに、第１部材１２の透過率を小さくすることにより、可視光線が第１部材１２を透過し難くなる。これにより、ベッド３１により支持されて睡眠状態になった使用者が、眠った状態を続けやすくすることができる。
ベッドシステム１が、計測部１６及びシェード制御部１５を備えている。計測部１６の測定結果が予め定められた時刻になったときに、第１部材１２の透過率を大きくすることにより、可視光線が第１部材１２を透過しやすくなる。従って、ベッド３１により支持されている使用者が可視光線を受けて目を覚ましやすくすることができる。
【００３６】
なお、本実施形態では、図８に示すベッドシステム２のように、シェード６１が複数の第１部材６２，６３，６４を備えてもよい。この変形例では、シェード６１は３枚の第１部材６２，６３，６４を備えている。図示はしないが、第１部材６２，６３，６４のそれぞれは、本実施形態の第１部材１２のように、フィルム２４と、フィルム２４を支持する第３部材２５と、を備えている。各フィルム２４は、第１電極２４ａと、第２電極２４ｂと、配向粒子２４ｃと、を備えている。
第１部材６２，６３，６４は、第１部材６２，６３，６４の厚さ方向に交差する方向に並べて配置されている。第２部材１３に対して第１部材６２，６３，６４を背ボトム３７から離間するように回転したシェード６１では、上方から下方に向かって第１部材６２、第１部材６３、第１部材６４の順で配置されている。
図示はしないが、シェード６１は変圧器２１を複数備えている。そして、複数の変圧器２１の１つが第１部材６２に接続され、複数の変圧器２１の他の１つが第１部材６３に接続され、複数の変圧器２１の別の他の１つが第１部材６４に接続されている。複数の第１部材６２，６３，６４は、互いに独立して透過率を調節できる。
【００３７】
例えば、第１部材６２は透光状態Ｐ１であり、第１部材６３は中間状態Ｐ３であり、第１部材６４は遮光状態Ｐ２である。第１部材６４は、ベッドシステム２を使用する使用者Ｐの目の高さに配置されている。これにより、使用者Ｐの目の高さで、外部から使用者Ｐの顔を見え難くすることができる。
【００３８】
この変形例のベッドシステム２によれば、第１部材６２，６３，６４毎に透過率を変えた状態でシェード６１を用いることができる。
なお、シェードが備える第１部材の枚数に制限はなく、２枚でもよいし、４枚以上でもよい。シェードにおける複数の第１部材の配置も、この例に限定されない。第１部材６２，６３，６４のそれぞれの透過率も、この例に限定されない。
【００３９】
以上、本発明の一実施形態について図面を参照して詳述したが、具体的な構成はこの実施形態に限られるものではなく、本発明の要旨を逸脱しない範囲の構成の変更、組み合わせ、削除等も含まれる。
例えば、第１部材１２は、透過率を、第１の値、第２の値にだけ調節できてもよい。
シェード１１は、第２部材１３、検出部１４、シェード制御部１５、計測部１６、及び入力部１７を備えなくてもよい。
身体支持システムはベッドシステム１に限定されず、椅子システム、ソファシステム等でもよい。例えば、身体支持システムが椅子システムである場合には、装置は椅子である。身体支持システムは、夜行バス用、飛行機用、人工透析用等としても用いることができる。
【符号の説明】
【００４０】
１，２  ベッドシステム（身体支持システム）
１１，６１  シェード（光線遮蔽器具）
１２，６２，６３，６４  第１部材
１３  第２部材
３１  ベッド（装置）
【図１】
2020099525.tif 000003
【図２】
2020099525.tif 000004
【図３】
2020099525.tif 000005
【図４】
2020099525.tif 000006
【図５】
2020099525.tif 000007
【図６】
2020099525.tif 000008
【図７】
2020099525.tif 000009
【図８】
2020099525.tif 000010
【図９】
2020099525.tif 000011
【図１０】
2020099525.tif 000012